(57)【要約】      （修正有）【課題】湯を排出する際に容器本体と蓋体を保持して傾斜させた場合であっても、熱さを感じることを更に軽減させ、湯切り作業を円滑に進めることができるインスタント食品用容器を提供する。【解決手段】容器本体Ａと、湯切部２０を有する蓋体Ｂと、を有するインスタント食品用容器１００であって、容器本体Ａは、立上壁の上部で全外周にわたって略水平に形成された上縁部を有し、蓋体Ｂは、天板１０と周縁部１１との境界において裏面側に突出して設けられた溝部１３と補強用のブリッジ１４と、を有し、溝部１３は湯切部２０を除く全周にわたって形成され、溝部１３の外側で立ち上がる外部側立上部の面が、容器本体Ａの立上壁に密着することを特徴とする。【選択図】図２
0003177225.tif 000002
【実用新案登録請求の範囲】
【請求項１】
容器本体と、該容器本体の上部に被蓋され隅部に湯切部を有する蓋体と、を有するインスタント食品用容器であって、
前記容器本体は、インスタント食品を収容する収容部と、前記容器本体の側面をなす立上壁と、前記立上壁の上部で全外周にわたって略水平に形成された上縁部と、を有し、
前記蓋体は、天板と、前記天板の全外周に形成され前記容器本体の前記上縁部に裏面が接触する周縁部と、前記天板と前記周縁部との境界において裏面側に突出して設けられた溝部と、前記溝部よりも高さが低く前記天板と前記上縁部との境界において設けられた補強用のブリッジと、を有し、
前記溝部は前記湯切部を除く全周にわたって形成され、
前記溝部の外側で立ち上がる外部側立上部の面が、前記容器本体の前記立上壁に密着することで、前記容器本体に注がれた湯を排出する際に、湯が前記蓋体の前記溝部の底部と前記容器本体の前記立上壁を越えて浸入することを阻止することを特徴とするインスタント食品用容器。
【請求項２】
前記蓋体の上縁部には前記湯切部と対向する隅部において空気口が形成されることを特徴とする請求項１に記載のインスタント食品用容器。
【請求項３】
前記ブリッジは、前記蓋体の前記溝部と前記容器本体の立上壁との密着性を損なわないように溝部の底部に凹凸をつけることで形成されることを特徴とする請求項１又は請求項２に記載のインスタント食品用容器。
【考案の詳細な説明】
【技術分野】
【０００１】
本考案は、容器本体に蓋体を装着した状態で湯を排出する際における湯切り作業を容易にしたインスタント食品用容器に関するものである。
【背景技術】
【０００２】
例えば、麺を収容した容器本体に湯を注いだ後、注いだ湯を排出して食する焼きそばのようなインスタント食品が提供されている。このようなインスタント食品では、容器本体に注がれた湯によって蓋体が加熱されてしまい、湯を排出する際に、人が容器本体とこの容器本体に装着された蓋体を指で保持したとき熱さを感じてしまうという問題がある。
【０００３】
本件出願人は、上記問題を解決するために、蓋体の天板と周縁との間にブリッジを形成しておき、注がれた湯によってブリッジが加熱されるのを軽減させる。これにより、湯切り作業を容易にしたインスタント食品用の蓋体を開発している（例えば特許文献１参照）。
【０００４】
特許文献１に開示されたインスタント食品用の蓋体は次のような構成である。即ち、天板と、天板の外周に立ち上がり容器本体の開口縁に外嵌する立設縁と、容器本体の開口縁に裏面が接する天板の周縁部と、立設縁と平行に形成され天板の表面側で溝となるグリップと、天板の中央部と周縁部との間に形成されるブリッジを有する。このため、ブリッジは容器本体に注がれた湯から離隔することとなり、湯によって直接加熱されることがない。従って、湯を排出する際にブリッジを指で保持したときに感じる熱さを軽減することができ、湯切り作業を容易にすることができる。
【先行技術文献】
【特許文献】
【０００５】
【特許文献１】特開２００５−２８０７３２号公報
【考案の概要】
【考案が解決しようとする課題】
【０００６】
しかし、特許文献１に開示されたインスタント食品用の蓋体であっても未だ完全ではなく、容器本体に注がれた湯を排出する際に容器本体と蓋体を指で保持して傾斜させたとき、湯がブリッジに直接接触することがある。この場合、使用者がブリッジに触れると熱さを感じ、湯切り作業が円滑に進まないおそれがあった。
【０００７】
本考案の目的は、湯を排出する際に容器本体と蓋体を保持して傾斜させた場合であっても、熱さを感じることを更に軽減させ、湯切り作業を更に円滑に進めることができるインスタント食品用容器を提供することにある。
【課題を解決するための手段】
【０００８】
前記目的を達成するための本考案に係るインスタント食品用容器は、容器本体と、該容器本体の上部に被蓋され隅部に湯切部を有する蓋体と、を有するインスタント食品用容器であって、前記容器本体は、インスタント食品を収容する収容部と、前記容器本体の側面をなす立上壁と、前記立上壁の上部で全外周にわたって略水平に形成された上縁部と、を有し、前記蓋体は、天板と、前記天板の全外周に形成され前記容器本体の前記上縁部に裏面が接触する周縁部と、前記天板と前記周縁部との境界において裏面側に突出して設けられた溝部と、前記溝部よりも高さが低く前記天板と前記上縁部との境界において設けられた補強用のブリッジと、を有し、前記溝部は前記湯切部を除く全周にわたって形成され、前記溝部の外側で立ち上がる外部側立上部の面が、前記容器本体の前記立上壁に密着することで、前記容器本体に注がれた湯を排出する際に、湯が前記蓋体の前記溝部の底部と前記容器本体の前記立上壁を越えて浸入することを阻止することを特徴とする。
【０００９】
また、前記蓋体の上縁部には前記湯切部と対向する隅部において空気口が形成されることを特徴としてもよい。
【００１０】
また、前記ブリッジは、前記蓋体の前記溝部と前記容器本体の立上壁との密着性を損なわないように溝部の底部に凹凸をつけることで形成されることを特徴としてもよい。
【考案の効果】
【００１１】
上述の構成のように、溝部が湯切部を除く蓋体の全周に配置されると、容器本体の立上壁と蓋体の溝部の外部側立上部とが、湯切部以外の部分で密着することとなる。すると、容器本体に注がれた湯を排出する際に、湯が蓋体の溝部の底部と容器本体の立上壁を越えて浸入することを阻止し、湯切りの際に指が感じる熱さを全周にわたって軽減することができる。この結果、湯切り作業をより円滑に進めることができる。
【００１２】
また、蓋体の上縁部の湯切部と対向する隅部において空気口を形成すれば、湯切りの際に、空気口から空気が流入し、湯切りの際に湯切部から湯及び容器内の空気が流出したとしても、容器本体内部が略真空状態になることを防止し、湯切作業を更に円滑に進めることができる。
【００１３】
また、補強用のブリッジを、溝部の底部に凹凸をつけて構成したことで、蓋体の溝部と容器本体の立上壁との密着性を損なうことはない。
【図面の簡単な説明】
【００１４】
【図１】本実施例に係るインスタント食品用容器の完成斜視図。
【図２】容器本体と蓋体との関係を説明するインスタント食品用容器の展開図。
【図３】容器本体に蓋体を装着したときの要部を説明する断面図。
【図４】インスタント食品用容器から湯を排出する際の状態を説明する図。
【考案を実施するための形態】
【００１５】
以下、本実施例に係るインスタント食品用容器について図を用いて説明する。図１は本実施例に係るインスタント食品用容器の完成斜視図である。図２は容器本体と蓋体との関係を説明するインスタント食品用容器の展開図である。図３は容器本体に蓋体を装着したときの要部を説明する断面図である。
【００１６】
〔インスタント食品用容器の概略〕
まず、インスタント食品用容器１００の構成について説明する。図１に示すように、本実施例に係るインスタント食品用容器１００は、インスタント食品（本実施例では焼きそばの麺）を収容する容器本体Ａと、容器本体Ａの上部に被蓋される蓋体Ｂから構成される。
【００１７】
図２に示すように、インスタント食品用容器１００は、平面形状が長方形となる容器本体Ａと、容器本体Ａの収容部１に内装された内容器２と、容器本体Ａ及び内容器２の上部開口に装着された蓋体Ｂとによって構成されている。
【００１８】
このように、本実施例の容器本体Ａは二重構造であり、内容器２は、外側の収容部１の形状と主要形状が略同一である。内容器２があることで保温性に優れる容器となる。また、内容器２における蓋体との嵌合部の形状を、より蓋体Ｂと嵌合しやすい形状に成型することで、容器本体Ａの蓋体Ｂとの嵌合をより密着したものとすることができる。
【００１９】
しかし、上述のように、内容器２が収容部１と略同一な形状である以上、内容器２は必ずしも必要なものではない。容器本体Ａとして収容部１のみであってもインスタント食品用容器１００としての機能を発揮することが可能である。このため、以後の説明で、単に「容器本体Ａ」と記載した場合、収容部１の構造のみならず、内容器２の形状等の構造をも含むことがある。
【００２０】
〔容器本体の構成〕
図２及び図３に示すように、容器本体Ａは、底面から立ち上がるように立ち上り容器本体Ａの側面を形成する立上壁１ａと、立上壁１ａの上部において容器本体Ａの全外周にわたって略水平に形成され容器本体Ａの上部開口の周縁を構成する上縁部１ｂと、上縁部１ｂの更に外周から下向きに形成された垂下片１ｃとを有する。立上壁１ａの上端部に上縁部１ｂと垂下片１ｃが形成されることで、上部開口の剛性が発揮される。
【００２１】
内容器２は加工食品を収容すると共に湯が注がれる容器であり、容器本体Ａに装着されたとき、容器本体Ａとの間に空隙Ｓ（図３参照）を形成し得るような寸法を持って形成されている。尚、収容部１の底部における空隙Ｓの箇所や大きさは一例であって、これに限るものではない。
【００２２】
内容器２の上部は、収容部１の立上壁１ａに沿う立上壁２ａが形成されており、立上壁２ａの上端部には収容部１の上縁部１ｂに沿う上縁部２ｂが、更に上縁部２ｂの外周から下向きに収容部１の垂下片１ｃに沿う垂下片２ｃが形成される。
【００２３】
内容器２を容器本体Ａに挿入して内容器２の上縁部２ｂを容器本体Ａの上縁部１ｂと接触させることによって、内容器２は容器本体Ａに装着される。このとき、内容器２の立上壁２ａは容器本体Ａの立上壁１ａと接触し、且つ垂下片１ｃと垂下片２ｃどうしも互いに接触する。
【００２４】
〔蓋体の構成〕
蓋体Ｂは、合成樹脂シートを熱成形（真空成形又は圧空成形）して成形されたものである。図２及び図３に示すように、蓋体Ｂは、中央に容器本体Ａの上部開口を覆う天板１０を有する。天板１０の周囲には、容器本体Ａの上縁部２ｂ（又は上縁部１ｂ）と裏面が接触する周縁部１１と、周縁部１１から垂下し容器本体Ａの垂下片２ｃ（又は垂下片１ｃ）と係合する形状を有する立設片１２とを有する。
【００２５】
また、蓋体Ｂは、天板１０と周縁部１１との間の境界を連結し裏面側に突出するように凹状に形成された溝部１３と、天板１０の中央部及び隅部と周縁部１１とを結び溝部１３の補強用のブリッジ１４と、を有する。
【００２６】
ここで、ブリッジ１４の形状・高さ・位置・個数は本実施例のものに限定されない。但し、図３に示すように、ブリッジ１４の高さは、天板１０と周縁部１１とを結ぶ高さよりは低く構成される。特に、溝部１３の外部側立上部１３ａと内容器２の立上壁２ａ（又は収容部１の立上壁１ａ）との密着性を損なわないようにする必要があるため、ブリッジ１４の高さは、できる限り低いことが好ましい。また、本実施例のように溝部１３の底部１３ｂに凹凸を付けることで構成することで、容易に製造することができる。
【００２７】
尚、図２に示す、周縁部１１から蓋体Ｂ内部側に突出する複数の凸部１５は、製造時の重なり防止の凸部である。即ち、多数の蓋体Ｂを重ねて製造ラインに供給した場合であっても、容器本体Ａに対して供給する際に個々の蓋体Ｂを確実に分離して供給することが可能となり、蓋体Ｂの供給不良に起因する包装不良の発生を防止することが可能となる。しかしながら、凸部１５はインスタント食品用容器１００の機能発揮においては、必ずしも必要な構成ではないため、凸部１５が全くない構成であってもよい。
【００２８】
蓋体Ｂの周縁部１１において、図２に示すように、一つの隅部には複数の湯切口２０ａを有する湯切部２０が形成され、対向する隅部には空気口２１が形成される。
【００２９】
〔本実施例の特徴的構成〕
次に蓋体Ｂの特徴的な部分を詳細に説明する。
【００３０】
溝部１３は、図２に示すように、蓋体Ｂにおいて、湯切部２０がある一つの隅部を除き、全周に形成される。溝部１３が略全周に形成されると、湯切時に使用者が溝部１３に指を入れる箇所が略全周にわたることとなる。これにより、使用者が溝部１３と上縁部２ｂとを把持する箇所が多くなり、インスタント食品用容器１００の把持性を高めることができる。
【００３１】
また、溝部１３は、図３の内容器２（又は収容部１）との断面に示すように、立上壁２ａ（又は立上壁１ａ）に対して溝部１３の外部側立上部１３ａが密着する形状である。このように、容器本体Ａの内部と蓋体Ｂとを密着させることによって、湯切時に、湯は溝部１３の底部１３ｂで留まるので、使用者が溝部１３の外部側立上部１３ａを把持したとしても、湯の熱が伝わることがない。
【００３２】
溝部１３は以上のような機能を発揮するために構成が決定するものであるから、機能を発揮さえすれば、外部側立上部１３ａの高さや形状はどのようなものであってもよい。
【００３３】
尚、本実施例においては、溝部１３を湯切部２０以外の全周にわたって形成しているが、ブリッジ１４を適宜配置したため、溝部１３における強度低下を防止することができる。
【００３４】
空気口２１は、図２に示すように、周縁部１１及び立設片１２の高さよりも若干突出して構成される。ここで、周縁部１１及び立設片１２が容器本体Ａと密着しているが、周縁部１１及び立設片１２より突出して形成される空気口２１の部分においては、容器本体Ａと蓋体Ｂとの間に空隙が形成される。このため、湯切時においては、空気口２１から空気を導入する機能を発揮する。
【００３５】
〔湯の排出時における熱の影響〕
図４はインスタント食品用容器から湯を排出する際の状態を説明する図である。
【００３６】
インスタント食品（本実施例においては焼きそば）を調理する際には、収容部１に湯を注いて容器本体Ａに蓋体Ｂを装着し、所定時間経過するのを待つ。その後、図４に示すように、容器本体Ａと蓋体Ｂを指Ｃによって保持して湯切部２０が下になるように傾ける。すると、容器本体Ａに収容した湯は麺とともに下降し、湯切口２０ａから湯のみが排出される。
【００３７】
このとき、より具体的に指Ｃが保持する部分を説明すると、容器本体Ａの周縁部１１及び外部側立上部１３ａと蓋体Ｂの立上壁１ａ及び上縁部１ｂである。このように保持すると、容器本体Ａの立上壁２ａ（又は立上壁１ａ）と蓋体Ｂの溝部１３の外部側立上部１３ａとは面接触（図３参照）することになる。
【００３８】
このように容器本体Ａと蓋体Ｂとが面接触することにより、湯切部２０から排出されている以外の湯は、容器本体Ａの立上壁２ａ（又は立上壁１ａ）と蓋体Ｂの溝部１３の底部１３ｂとの間に保持される。つまり、指Ｃが保持している外部側立上部１３ａに湯が直接浸入することを阻止することとなる。このため、湯切りの際に指Ｃが感じる熱さを軽減することができる。
【００３９】
本実施例においては、溝部１３は湯切部２０以外の全周に形成されるため、容器本体Ａと蓋体Ｂとの密着性が溝部１３のある全周にわたって保たれる。このため、湯切りの際に指Ｃが感じる熱さを全周にわたって軽減することができる。この結果、湯切り作業をより円滑に進めることができる。
【００４０】
また、蓋体Ｂの湯切部２０と対向する隅部に空気口２１が形成されるため、図４に示すように、湯切りの際には、空気口２１から空気が流入する。このため、湯切りの際に湯切部２０から湯及び容器内の空気が流出したとしても、容器本体Ａ内部が略真空状態になることを防止し、湯切作業を更に円滑に進めることができる。
【産業上の利用可能性】
【００４１】
本考案は、容器本体に蓋体を装着したインスタント食品用容器に利用することができる。
【符号の説明】
【００４２】
Ａ…容器本体
Ｂ…蓋体
Ｃ…指
Ｓ…空隙
１…収容部
１ａ…立上壁
１ｂ…上縁部
１ｃ…垂下片
２…内容器
２ａ…立上壁
２ｂ…上縁部
２ｃ…垂下片
１０…天板
１１…周縁部
１２…立設片
１３…溝部
１３ａ…外部側立上部
１３ｂ…底部
１４…ブリッジ
１５…凸部
２０…湯切部
２０ａ…湯切口
２１…空気口
１００…インスタント食品用容器
【図１】
0003177225.tif 000003
【図２】
0003177225.tif 000004
【図３】
0003177225.tif 000005
【図４】
0003177225.tif 000006